(57)【特許請求の範囲】
【請求項１】
所定の装置に着脱自在に装着することにより前記装置が実行する処理に使用され、使用時間が前記装置により計測され、計測された使用時間を記憶する使用時間記憶部を備える交換ユニットの使用時間を管理する交換ユニット管理装置であって、前記交換ユニットの使用時間記憶部に記憶されている使用時間を読み出す読出手段と、前記交換ユニットに含まれる各部材の累計使用時間を記憶する累計時間記憶部と、累計時間記憶部に記憶されている累計使用時間に、前記読み出した使用時間を加算する加算手段とを備えることを特徴とする交換ユニット管理装置。
【請求項２】
交換ユニットに含まれる各部材の寿命時間を記憶する寿命記憶部と、各部材の累計使用時間と寿命時間とを比較する比較手段と、累計使用時間の方が長い場合、寿命に達していることを報知する報知手段とを備えることを特徴とする請求項１記載の交換ユニット管理装置。
【請求項３】
交換ユニット装入口の蓋部材を開けて、交換ユニットが着脱自在に装着される装置と、前記装置に着脱自在に装着することにより前記装置が実行する処理に使用され、使用時間が前記装置により計測され、計測された使用時間を記憶する使用時間記憶部を備える交換ユニットと、前記装置に設けられ、交換ユニットの使用時間を計測して前記交換ユニットの使用時間記憶部に書き込む使用時間書込装置と、交換ユニットの使用時間記憶部に書き込まれた使用時間を読み出し、前記交換ユニットに含まれる各部材の累計使用時間を管理する請求項１又は２記載の交換ユニット管理装置とを備えることを特徴とする交換ユニット管理システム。
【請求項４】
前記使用時間書込装置は、交換ユニットの使用時間を計測する計測手段と、蓋部材の開閉を検出する開閉検出手段と、蓋部材が開いた場合、計測した使用時間を前記使用時間記憶部に書き込む書込手段とを備えることを特徴とする請求項３記載の交換ユニット管理システム。
【請求項５】
前記使用時間書込装置は、前記開いた蓋部材が閉じたことを前記開閉検出手段が検出した場合、前記計測手段が計測した使用時間を、前記使用時間記憶部に記憶されている使用時間に更新する更新手段を備えることを特徴とする請求項４記載の交換ユニット管理システム。
【発明の詳細な説明】
【０００１】
【発明の属する技術分野】
本発明は、所定の装置に着脱自在に装着される交換ユニットを管理する交換ユニット管理装置及び交換ユニット管理システムに関する。
【０００２】
【従来の技術】
例えば電子写真方式の画像形成装置では、感光体ドラム、帯電器及び現像器等の部材を一体的にまとめたプロセスユニット（交換ユニット）が用いられている。プロセスユニットは、画像形成装置に着脱自在に装着でき、交換が可能である。例えば、プロセスユニットに含まれる感光体ドラム、帯電器及び現像器等の部材は消耗品であり、部材が寿命に達した場合は、新しいプロセスユニットに交換することができる。
【０００３】
【発明が解決しようとする課題】
しかし、各部材の寿命は均一ではなく、例えば感光体ドラムと現像器との寿命は大きな差があり、現像器が寿命になった場合であっても、感光体は使用できる場合が多い。
【０００４】
プロセスユニットを有効にリサイクルするためには、寿命が近づいた部材のみを交換することが好ましい。寿命が近づいた部材のみを交換するためには、各部材毎に使用時間を管理する必要がある。
【０００８】
本発明は、斯かる事情に鑑みてなされたものであり、交換ユニットに含まれる各部材の累計使用時間を記憶する累計時間記憶部と、累計時間記憶部に記憶されている累計使用時間に、使用時間記憶部に記憶された使用時間を加算する加算手段とを備えることにより、交換ユニットの各部材の累計使用時間を管理できる交換ユニット管理装置を提供することを目的とする。
【０００９】
また、本発明は、交換ユニットに含まれる各部材の寿命時間を記憶する寿命記憶部と、累計使用時間と寿命時間とを比較する比較手段とを備え、寿命に達した部材を検出することにより、寿命になるまで各部材を無駄なく使用できる交換ユニット管理装置を提供することを目的とする。
【００１０】
また、本発明は、使用時間記憶部を有する交換ユニットと、交換ユニットの使用時間を計測して使用時間記憶部に書き込む使用時間書込装置と、使用時間記憶部から使用時間を読み出して交換ユニットの各部材の使用時間を管理する交換ユニット管理装置とを備えることにより、交換ユニットの各部材の使用時間を管理し、寿命になるまで各部材を無駄なく使用できる交換ユニット管理システムを提供することを目的とする。
また、本発明は、交換ユニットの使用時間を計測する計測手段と、交換ユニット装入口の蓋部材が開いた場合に、計測した使用時間を交換ユニットの使用時間記憶部に書き込む書込手段とを備えることにより、蓋部材が開いて交換ユニットが取出される前に使用時間記憶部に使用時間を書込むことができる交換ユニット管理システムを提供することを目的とする。
また、本発明は、前記蓋部材が閉じた場合に、前記計測手段が計測している使用時間を、使用時間記憶部に記憶されている使用時間に更新する更新手段を備えることにより、交換ユニットが交換されなかった場合でも使用時間の計測を継続できる交換ユニット管理システムを提供することを目的とする。
【００１１】
【課題を解決するための手段】
第１発明に係る交換ユニット管理装置は、所定の装置に着脱自在に装着することにより前記装置が実行する処理に使用され、使用時間が前記装置により計測され、計測された使用時間を記憶する使用時間記憶部を備える交換ユニットの使用時間を管理する交換ユニット管理装置であって、前記交換ユニットの使用時間記憶部に記憶されている使用時間を読み出す読出手段と、前記交換ユニットに含まれる各部材の累計使用時間を記憶する累計時間記憶部と、累計時間記憶部に記憶されている累計使用時間に、前記読み出した使用時間を加算する加算手段とを備えることを特徴とする。
【００１８】
このような交換ユニット管理装置は、交換ユニットに含まれる各部材の累計使用時間が累計時間記憶部に記憶される。読出手段により交換ユニットから使用時間を読み出し、加算手段により、読み出した使用時間を累計使用時間に加算する。交換ユニットに記憶される使用時間は、例えば感光体ドラム等を回転させるモータの駆動時間とすることができる。この場合、モータの駆動時間に基づいて各部材の使用時間を求め、求めた使用時間を累計使用時間に加算する。また、加算後、交換ユニットに記憶されている使用時間はリセットされる。
【００１９】
第２発明に係る交換ユニット管理装置は、第１発明において、交換ユニットに含まれる各部材の寿命時間を記憶する寿命記憶部と、各部材の累計使用時間と寿命時間とを比較する比較手段と、累計使用時間の方が長い場合、寿命に達していることを報知する報知手段とを備えることを特徴とする。
【００２０】
このような交換ユニット管理装置は、寿命時間記憶部に、各部材の寿命時間が記憶されている。比較手段により、各部材の累計使用時間と寿命時間とを比較する。累計使用時間が寿命を超えている場合は、報知手段により、寿命に達していることを報知する。各部材が寿命に達したことを検出し、寿命が近づいた部材の交換を促すことができる。
【００２１】
第３発明に係る交換ユニット管理システムは、交換ユニット装入口の蓋部材を開けて、交換ユニットが着脱自在に装着される装置と、前記装置に着脱自在に装着することにより前記装置が実行する処理に使用され、使用時間が前記装置により計測され、計測された使用時間を記憶する使用時間記憶部を備える交換ユニットと、前記装置に設けられ、交換ユニットの使用時間を計測して前記交換ユニットの使用時間記憶部に書き込む使用時間書込装置と、交換ユニットの使用時間記憶部に書き込まれた使用時間を読み出し、前記交換ユニットに含まれる各部材の累計使用時間を管理する第１又は第２発明の交換ユニット管理装置とを備えることを特徴とする。
【００２２】
このような交換ユニット管理システムは、使用時間書込装置により、使用時間記憶部を有する交換ユニットの使用時間を計測して使用時間記憶部に書き込む。また、交換ユニット管理装置により、使用時間記憶部から使用時間を読み出して交換ユニットの各部材の使用時間を管理する。交換ユニットの各部材の使用時間を管理することにより、寿命になるまで各部材を無駄なく使用することができる。
第４発明に係る交換ユニット管理システムは、第３発明において、前記使用時間書込装置は、交換ユニットの使用時間を計測する計測手段と、蓋部材の開閉を検出する開閉検出手段と、蓋部材が開いた場合、計測した使用時間を前記使用時間記憶部に書き込む書込手段とを備えることを特徴とする。
このような交換ユニット管理システムは、計測手段により交換ユニットの使用時間を計測する。計測した使用時間は、開閉検出手段が蓋部材が開いたことを検出した場合に、書込手段によって交換ユニットの使用時間記憶部へ書き込まれる。蓋部材が開いた場合、交換ユニットが取出される可能性が高いが、取出される前に、計測した使用時間が書込手段によって使用時間記憶部に書き込まれる。
第５発明に係る交換ユニット管理システムは、第４発明において、前記使用時間書込装置は、前記開いた蓋部材が閉じたことを前記開閉検出手段が検出した場合、前記計測手段が計測した使用時間を、前記使用時間記憶部に記憶されている使用時間に更新する更新手段を備えることを特徴とする。
このような使用時間書込装置は、開閉検出手段が蓋部材が閉じられたことを検出した場合、計測手段が計測した使用時間を、更新手段により、交換ユニットに記憶された使用時間に更新する。計測手段が計測した使用時間はレジスタ等のメモリに記憶されており、更新手段は、前記メモリに記憶されている使用時間を更新する。蓋部材が閉じられた場合、交換ユニットは交換される場合とそうでない場合とがある。交換されなかった場合は、交換ユニットに記憶されている使用時間と計測手段が計測した（前記メモリに記憶されている）使用時間とは同じである。交換された場合は、交換ユニットに記憶されている使用時間と前記メモリに記憶されている使用時間とが異なるため、前記メモリに記憶されている使用時間を更新する必要がある。
【００２３】
【発明の実施の形態】
以下、本発明をその実施の形態を示す図面に基づいて説明する。
図１及び図２に、本発明に係る交換ユニット（プロセスユニット）が装着される画像形成装置のブロック図及び概略図を示す。画像形成装置は複写機能付きファクシミリ装置の記録部として使用されており、本発明に係る使用時間書込装置を含み、プロセスユニットの使用時間を計測する。本実施の形態では、プロセスユニットの使用時間として、後述するモータの駆動時間を計測する。
【００２４】
図１において、符号１はファクシミリ装置全体の動作を制御するＭＰＵ（マイクロプロセッサユニット）であり、後述する各部２〜１２，３２，４０，４４と接続されている。ＲＯＭ（Ｒｅａｄ  Ｏｎｌｙ  Ｍｅｍｏｒｙ）２は、ＭＰＵ１が実行するコンピュータプログラム又は各種設定データ等を記録している。ＲＡＭ（Ｒａｎｄｏｍ  Ａｃｃｅｓｓ  Ｍｅｍｏｒｙ）３は、コンピュータプログラムの実行時に生じた一時データ又は後述する操作部から入力された一時データ等を記憶する。
【００２５】
ＮＣＵ（Ｎｅｔｗｏｒｋ  Ｃｏｎｔｒｏｌ  Ｕｎｉｔ）４は、ＭＰＵ１により制御され、回線Ｌとファクシミリ装置との接続を制御する。また、通信相手の電話番号（ファクシミリ番号）に応じたダイヤルパルスを送出する機能及び着信を検出する機能を有している。モデム５は、送受信データの変復調を行う。
【００２６】
読取部６は、例えばＣＣＤイメージセンサ等により原稿画像の読み取りを行なう。画像メモリ７は、読取部６が読み取った画データ又は回線Ｌを介して受信した画データを記憶する。コーデック８は、送信すべき画データの符号化と、受信した画データの復号を行う。
【００２７】
操作部１０は、複写する用紙サイズの選択キー、電話番号等の数字を入力するためのテンキー，短縮ダイヤルキー，ワンタッチダイヤルキー，複写又は送信を開始するスタートキー、各種の動作を指示するための操作キー等で構成されている。表示部１１は、操作部１０の操作により入力された電話番号等の種々の情報をソフトコピー出力して表示するＣＲＴ，ＬＣＤ等で構成されている。
【００２８】
記録部９は、受信した画データ又は読取部６が読み取った画データを記録紙（用紙）上に記録（印刷）する画像形成装置を含む。画像形成装置は、図２に示すように、一般的な電子写真方式の画像形成装置と同様に、感光体ドラム３１，ＬＥＤアレイ３２，現像器３３，転写ローラ３４，帯電ブラシ３５等を備えている。
【００２９】
感光体ドラム３１は、矢符方向へ回転駆動されている。ＬＥＤアレイ３２は、画像メモリ７の画データに基づいて、感光体ドラム３１を露光し、静電潜像を感光体ドラム３１上に形成する。
【００３０】
現像器３３は、その内部に収納されているトナーを攪拌するための攪拌部材３８，トナーを感光体ドラム３１に選択的に吸着させるために搬送する供給ローラ３７、現像ローラ３６等で構成されており、感光体ドラム３１上に形成された静電潜像にトナーを付着させる。
【００３１】
転写ローラ３４は、感光体ドラム３１と圧着した状態で対向配置され、感光体ドラム３１に追動して、トナーが静電潜像に付着して形成された画像（トナー像）を用紙に転写する。帯電ブラシ３５は、感光体ドラム３１に隣接され、感光体ドラム３１周面を一様に帯電させる。
【００３２】
また、図２において、符号２３は用紙を収納する用紙カセットを、符号２４は用紙カセット２３に収納された用紙の最上層の一枚を取り出すピックアップローラを示している。
【００３３】
用紙カセット２３から取り出された用紙は、感光体ドラム３１及び転写ローラ３４とヒートローラ２１及び加圧ローラ２２とを介して搬送される。用紙の搬送経路２６を一点鎖線で示してある。
【００３４】
上述した感光体ドラム３１、帯電ブラシ３５、現像器３３（攪拌部材３８、供給ローラ３７、現像ローラ３６等）は、プロセスユニット３０に含まれ、蓋（蓋部材）４２を開いて、着脱自在に画像形成装置に装着することができる。
【００３５】
画像形成装置は、感光体ドラム３１等を回転させるモータ（図示していない）を制御するモータ制御部１２を備え、プロセスユニット３０は、モータの駆動時間を記憶するユニットメモリ４０を備える。ユニットメモリ４０のデータ書き込み及び読み出しは、ＭＰＵ１により行われる。ユニットメモリ４０は、フラッシュメモリ等の電源切断時もデータを保持できるメモリが用いられる。また、画像形成装置は、蓋４２の開閉を検出する蓋開閉センサ４４を備える。
【００３６】
ＭＰＵ１は、モータの駆動時間を計測する手段（計測手段）、蓋４２が開いた場合、計測した使用時間をプロセスユニット３０のユニットメモリ４０に書き込む手段（書込手段）、蓋４２が閉じた場合、計測した駆動時間をユニットメモリ４０に記憶されている駆動時間に更新する手段（更新手段）として動作する。計測した駆動時間は、ＲＡＭ３に記憶されており、モータの駆動に応じて、ＭＰＵ１により更新される。また、ユニットメモリ４０には、各プロセスユニットに固有の識別ＩＤが記憶されている。ＲＡＭ３は、フラッシュメモリ等の電源切断時もデータを保持できるメモリを一部含む。
【００３７】
ユニットメモリ４０へのモータの駆動時間の書込手順の一例を図３に示す。
ＭＰＵ１は、モータ制御部１２によるモータの駆動を監視する（Ｓ１０：ＮＯ）。モータが駆動した場合（Ｓ１０：ＹＥＳ）、ＭＰＵ１は駆動時間を計測する（Ｓ１２）。駆動時間の計測は、モータが停止するまで行われる（Ｓ１４：ＮＯ）。モータが停止した場合（Ｓ１４：ＹＥＳ）、ＭＰＵ１は、計測を中止する（Ｓ１６）。計測された駆動時間はＲＡＭ３に記憶され、以後、モータの駆動に応じて更新される。
【００３８】
蓋開閉センサ４４により蓋４２が開いたことが検出された場合（Ｓ１８：ＹＥＳ）、ＭＰＵ１は、計測した駆動時間をユニットメモリ４０へ書き込む（Ｓ２０）。ＭＰＵ１は蓋が閉じられるのを待ち（Ｓ２２：ＮＯ）、蓋が閉じられた場合（Ｓ２２：ＹＥＳ）は、ユニットメモリ４０から駆動時間を読み出し（Ｓ２４）てＲＡＭ３に記憶し、駆動時間の計測を上述した説明と同様に行う。蓋が開いてない場合（Ｓ１８：ＮＯ）も、駆動時間の計測を上述した説明と同様に行う。
【００３９】
プロセスユニット３０をリサイクルする場合、蓋４２を開けてプロセスユニット３０を取り外す前に、ＭＰＵ１により、プロセスユニット３０装着後のモータの駆動時間がユニットメモリ４０に記憶される。駆動時間が記憶されたプロセスユニット３０がリサイクル業者へ送られる。多くの場合、トナーが切れたことによりリサイクルされる。
【００４０】
プロセスユニット３０を受取ったリサイクル業者は、トナーを補充し、プロセスユニット３０の各部材（感光体ドラム３１、帯電ブラシ３５、攪拌部材３８、供給ローラ３７、現像ローラ３６等）の寿命に応じて、新品への交換を行う。
【００４１】
プロセスユニット３０の各部材の寿命を管理する管理装置（交換ユニット管理装置）の一例を図４に示す。上述したプロセスユニット（交換ユニット）と、使用時間書込装置を含む画像形成装置と、管理装置とにより、本発明に係る交換ユニット管理システムが構成される。
【００４２】
管理装置５０は、プロセスユニット３０のユニットメモリ４０が接続される接続部５４と、各部材の寿命時間及びプロセスユニット毎の各部材の累計使用時間を記憶する記憶部５８と、寿命に近づいた部材の表示等を行う出力部（報知手段）５６と、管理装置５０への操作を受付ける入力部５５と、前記各部５４，５５，５６，５８の制御及び演算処理等を行う制御部５２とを備える。
【００４３】
ここで、寿命時間は、部材が寿命に近づき、部材の交換が推奨される使用時間である。図５（ａ）に示すように、記憶部５８に各部材毎に寿命時間が記憶される。また、累計使用時間は、各部材の使用時間の累計であり、図５（ｂ）に示すように、各プロセスユニット毎に、各部材の累計使用時間が記憶される。
【００４４】
接続部５４は、ユニットメモリ４０に記憶されている駆動時間を読み出す手段（読出手段）として動作する。制御部５２は、記憶部５８に記憶されている累計使用時間に、接続部５４を介して読み出した使用時間を加算する手段（加算手段）、累計使用時間と記憶部５８に記憶されている寿命時間とを比較する手段（比較手段）として動作する。制御部５２は、読み出したモータ駆動時間に基づいて各部材の使用時間を求め、求めた使用時間を累計使用時間に加算する。また、制御部５２は、図示していないが、読み出したデータ又は演算途中のデータ等を一時的に記憶するメモリを有する。
【００４５】
寿命に達した部材の検出手順の一例を図６に示す。
制御部５２は、ユニットメモリ４０から識別ＩＤ及び駆動時間を読み出し（Ｓ３０）、制御部５２内のメモリ（図示していない）に記憶する。制御部５２は、読み出した駆動時間に基づいて各部材の使用時間を算出し（Ｓ３２）、制御部５２内のメモリに記憶する。制御部５２は、読み出した識別ＩＤの累計使用時間を記憶部５８から読み出し（Ｓ３４）、読み出した累計使用時間と前記算出した使用時間とを加算し、加算結果を前記メモリに記憶する。制御部５２は、記憶部５８に記憶される累計使用時間を前記加算結果に更新する（Ｓ３６）。
【００４６】
制御部５２は、記憶部５８から各部材の寿命時間を読み出し（Ｓ３８）、前記メモリに記憶する。制御部５２は、前記加算結果（累積使用時間）と寿命時間とを比較し（Ｓ４０）、寿命時間に達している部材を出力部５６に表示する。
【００４７】
リサイクル業者は、寿命に達している部材を交換し、ユーザへ返送する。交換した部材は新品なので、累計使用時間はゼロにリセットされる。また、プロセスユニット３０の駆動時間もゼロにリセットされる。これらリセットは、例えば部材の交換後等に入力部５５を操作することで、制御部５２により実行される。
【００４８】
上述した実施の形態においては、プロセスユニット３０は、図７（ａ）に示すように、感光体ドラム３１、帯電ブラシ３５、攪拌部材３８、供給ローラ３７及び現像ローラ３６を一体的に含んだユニットであったが、例えば図７（ｂ）に示すように、感光体ドラム３１及び帯電ブラシ３５を含む感光体ユニット３０ｂと、攪拌部材３８、供給ローラ３７及び現像ローラ３６を含む現像器ユニット３０ａとに分けることもできる。この場合、感光体ユニット３０ｂにはユニットメモリ４０ｂを、現像器ユニット３０ａにはユニットメモリ４０ａを夫々設ける。
【００４９】
ここで、使用時間の管理を行う部材は、感光体ドラム３１、帯電ブラシ３５、攪拌部材３８、供給ローラ３７及び現像ローラ３６に特に限定はされず、任意の部材の使用時間を管理することができる。
【００５０】
また、ユニットメモリ４０への駆動時間の書き込みは、蓋４２が開けられた場合に限定はされず、例えば、モータが停止する毎に、駆動時間をユニットメモリ４０に書き込むこともできる。
【００５１】
図８及び図９に示すように、ユニットメモリ４０に、各部材の累計使用時間を記憶することもできる。ここで、図９は、ユニットメモリ４０に記憶される各部材の累計使用時間の一例である。この場合、画像形成装置のＭＰＵ１は、モータの駆動時間から各部材の使用時間を求め、求めた使用時間を、ユニットメモリ４０に記憶されている各部材の累計使用時間に加算する。この場合、管理装置５０の制御部５２は、ユニットメモリ４０から読み出した累計使用時間を記憶部５８に記憶されている累計使用時間に記憶する。
【００５２】
また、図１０に示すように、管理装置５０の記憶部５８に累計使用時間を記憶せず、中央装置６０の記憶部６２に累計使用時間を記憶することもできる。管理装置５０は、中央装置６０の記憶部６２へアクセスする通信部５７を備える。
【００５３】
以上の説明では、画像形成装置とプロセスユニットを例にして説明したが、交換可能なユニット及びユニットを装着する装置に、本発明の交換ユニット及び使用時間書込装置を適用することができる。
【００５４】
【発明の効果】
第１発明によれば、交換ユニットに含まれる各部材の累計使用時間が累計時間記憶部に記憶され、加算手段により、交換ユニットから読み出した使用時間を前記累計使用時間に加算し、各部材の累計使用時間を管理することができる。
【００５８】
第２発明によれば、寿命時間記憶部に、各部材の寿命時間が記憶され、比較手段により、各部材の累計使用時間と寿命時間とを比較し、報知手段により、寿命が近づいた部材の交換を促すことができる。寿命になるまで各部材を無駄なく使用することができる。
【００５９】
第３発明によれば、使用時間書込装置により、交換ユニットの使用時間を前記交換ユニットの使用時間記憶部に記憶し、交換ユニット管理装置により、記憶した使用時間に基づいて各部材の使用時間を管理することができる。各部材の使用時間により、寿命が近づいた部材を検出できるため、寿命になるまで各部材を無駄なく使用することができる。
第４発明によれば、計測手段により計測された使用時間は、開閉検出手段が蓋部材が開いたことを検出した場合に、記憶制御手段によって交換ユニットの使用時間記憶部に書き込まれる。蓋部材が開いた場合、交換ユニットが取出される場合が多いが、取出される前に、計測した使用時間を使用時間記憶部に書き込むことができる。
第５発明によれば、蓋部材が閉じた場合、更新手段により、計測手段が計測している使用時間を、交換ユニットに記憶されている使用時間に更新することにより、交換ユニットの交換の有無に関係無く、交換ユニットの使用時間を正しく計測することができる。
【図面の簡単な説明】
【図１】本発明に係る交換ユニット（プロセスユニット）が装着される画像形成装置の一構成例を示すブロック図である。
【図２】本発明に係る交換ユニット（プロセスユニット）が装着された画像形成装置の概略を示す図である。
【図３】駆動時間の書込手順の一例を示す図である。
【図４】本発明に係る交換ユニット管理装置の一構成例を示す図である。
【図５】図４に示した交換ユニット管理装置に記憶されている寿命時間及び累計使用時間の一例を示す図である。
【図６】寿命に達した部材の検出手順の一例を示す図である。
【図７】本発明に係る交換ユニット（プロセスユニット）の例を示す図である。
【図８】本発明に係る交換ユニット（プロセスユニット）及び交換ユニット管理装置の他の構成例を示す図である。
【図９】図８に示す交換ユニット（プロセスユニット）に記憶される累計使用時間の一例を示す図である。
【図１０】本発明に係る交換ユニット管理装置の他の構成例を示す図である。
【符号の説明】
１  ＭＰＵ（計測手段、書込手段、更新手段）
３０，３０ａ，３０ｂ  プロセスユニット（交換ユニット）
４０  ユニットメモリ（使用時間記憶部）
４２  蓋（蓋部材）
４４  蓋開閉センサ（開閉検出手段）
５０  管理装置（交換ユニット管理装置）
５２  制御部（加算手段、比較手段）
５４  接続部（読出手段）
５８  記憶部（累計時間記憶部、寿命記憶部）
５６  出力部（報知手段）
【図１】
0003599018.tif 000002
【図２】
0003599018.tif 000003
【図３】
0003599018.tif 000004
【図４】
0003599018.tif 000005
【図５】
0003599018.tif 000006
【図６】
0003599018.tif 000007
【図７】
0003599018.tif 000008
【図８】
0003599018.tif 000009
【図９】
0003599018.tif 000010
【図１０】
0003599018.tif 000011